(57)【要約】【課題】有料道路又は有料施設の入場口又は退場口を通過する車両の乗員に対する広告効果を向上させる。【解決手段】有料道路又は有料施設の入場口又は退場口に設置された路側装置と、入場口又は退場口に設置された表示装置と、路側装置と通信可能なサーバと、を含む情報処理システムである。路側装置は、入場口又は退場口を通過する車両に搭載された車載装置と所定の無線通信を行う無線通信部と、サーバとの通信を行う通信部と、無線通信部を通じて車載装置から受信された車両を所有するユーザに関するユーザ情報を、通信部を通じてサーバへ送信すること、を実行する制御部と、を備える。サーバは、ユーザ情報を受信することと、ユーザ情報が広告主に関するユーザ情報である場合に、広告主に応じた広告情報を取得することと、表示装置への広告情報の表示指示を送信すること、を実行する制御部を備える。【選択図】図１
2020057208.tif 000002
【特許請求の範囲】
【請求項１】
有料道路又は有料施設の入場口又は退場口を通過する車両を所有するユーザに関するユーザ情報を取得することと、
前記ユーザ情報が広告主に関するユーザ情報である場合に、前記広告主に対応する広告情報を取得することと、
前記広告情報の前記入場口又は前記退場口に設置された表示装置への表示を指示することと、
を実行する制御部、
を備える情報処理装置。
【請求項２】
前記情報処理装置は、前記入場口又は前記退場口に設置された路側装置であって、
前記車両に搭載された車載装置と所定の無線通信を行う無線通信部をさらに備え、
前記制御部は、
前記無線通信部を通じて、前記車載装置から、前記ユーザ情報とともに、前記有料道路又は前記有料施設への入場に関する情報である入口情報と、料金の支払いに関する支払情報を受信することと、
前記入口情報に基づいて、前記有料道路又は前記有料施設の使用料金の情報を取得することと、
前記支払情報に基づいて、決済を行う第１のサーバへ前記有料道路又は前記有料施設の前記使用料金の情報を送信することと、
前記ユーザ情報に基づいて取得され、第２のサーバによって決済される、前記広告情報の前記表示装置への表示に係る広告料金の情報を取得することと、
前記有料道路又は前記有料施設の前記使用料金の情報と、前記広告情報の前記広告料金の情報とを前記車載装置へ送信することと、
を実行する、
請求項１に記載の情報処理装置。
【請求項３】
前記情報処理装置は、前記入場口又は前記退場口に設置された路側装置と通信可能なサーバであって、
前記制御部は、
前記路側装置を通じて、前記車両に搭載された車載装置から前記ユーザ情報を受信することと、
前記取得した広告情報の前記表示装置への表示に係る広告料金の情報を取得することと、
前記広告情報の前記広告料金の情報を前記路側装置を通じて前記車載装置へ送信することと、
前記広告情報の前記広告料金の情報を、決済を行う所定のサーバへ送信することと、をさらに実行する、
請求項１に記載の情報処理装置。
【請求項４】
有料道路又は有料施設の入場口又は退場口に設置された路側装置と、
前記入場口又は前記退場口に設置された表示装置と、
前記路側装置と通信可能なサーバと、
を含み、
前記路側装置は、
前記入場口又は前記退場口を通過する車両に搭載された車載装置と所定の無線通信を行う無線通信部と、
前記サーバとの通信を行う通信部と、
前記無線通信部を通じて前記車載装置から受信された前記車両を所有するユーザに関
するユーザ情報を、前記通信部を通じて前記サーバへ送信すること、を実行する制御部と、
を備え、
前記サーバは、
前記ユーザ情報を受信することと、
前記ユーザ情報が広告主に関するユーザ情報である場合に、前記広告主に応じた広告情報を取得することと、
前記表示装置への前記広告情報の表示指示を送信することと、
を実行する制御部を備える、
情報処理システム。
【請求項５】
有料道路又は有料施設の入場口又は退場口を通過する車両を有するユーザに関するユーザ情報を取得し、
前記ユーザ情報が広告主に関するユーザ情報である場合に、前記広告主に応じた広告情報を取得し、
前記入場口又は前記退場口に設置された表示装置への前記広告情報の表示を指示する、情報処理方法。
【請求項６】
有料道路又は有料施設の入場口又は退場口に設置された路側装置が、
無線通信部を通じて、前記入場口又は前記退場口を通過する車両に搭載された車載装置から前記車両を所有するユーザに関するユーザ情報を受信し、
前記ユーザ情報をサーバに送信し、
前記サーバが、
前記ユーザ情報を受信し、
前記ユーザ情報が広告主に関するユーザ情報である場合に、前記広告主に応じた広告情報を取得し、
前記入場口又は前記退場口に設置された表示装置への前記広告情報の表示指示を送信する、
情報処理方法。
【発明の詳細な説明】
【技術分野】
【０００１】
本発明は、情報処理装置、情報処理システム、及び、情報処理方法に関する。
【背景技術】
【０００２】
高速道路を通行する車両に搭載された利用者端末に広告等の情報を配信し、当該車両が高速道路の出側専用ゲートに到達した際に、高速道路の利用料金を割り引く情報配信システムが開示されている（例えば、特許文献１）。
【先行技術文献】
【特許文献】
【０００３】
【特許文献１】特開２００４−３３４７５４号公報
【発明の概要】
【発明が解決しようとする課題】
【０００４】
しかしながら、従来の技術は、広告の情報の配信先は車両に高速道路を通行する車両に搭載された利用者端末であって、広告を見るのは当該車両内部の乗員に限定され、広告効果が薄かった。
【０００５】
開示の態様の一つは、有料道路又は有料施設の入場口又は退場口を通過する車両の乗員に対する広告効果を向上可能な情報処理装置、情報処理システム、及び、情報処理方法を提供することを課題とする。
【課題を解決するための手段】
【０００６】
本発明の態様の一つは、
有料道路又は有料施設の入場口又は退場口を通過する車両を所有するユーザに関するユーザ情報を取得することと、
前記ユーザ情報が広告主に関するユーザ情報である場合に、前記広告主に対応する広告情報を取得することと、
前記広告情報の前記入場口又は前記退場口に設置された表示装置への表示を指示することと、
を実行する制御部、
を備える情報処理装置である。
【０００７】
本発明の他の態様の一つは、
有料道路又は有料施設の入場口又は退場口に設置された路側装置と、
前記入場口又は前記退場口に設置された表示装置と、
前記路側装置と通信可能なサーバと、
を含み、
前記路側装置は、
前記入場口又は前記退場口を通過する車両に搭載された車載装置と所定の無線通信を行う無線通信部と、
前記サーバとの通信を行う通信部と、
前記無線通信部を通じて前記車載装置から受信された前記車両を所有するユーザに関するユーザ情報を、前記通信部を通じて前記サーバへ送信すること、を実行する制御部と、を備え、
前記サーバは、
前記ユーザ情報を受信することと、
前記ユーザ情報が広告主に関するユーザ情報である場合に、前記広告主に応じた広告情報を取得することと、
前記表示装置への前記広告情報の表示指示を送信すること、
を実行する制御部を備える、
情報処理システムである。
【０００８】
本発明の他の態様の一つは、
有料道路又は有料施設の入場口又は退場口を通過する車両を有するユーザに関するユーザ情報を取得し、
前記ユーザ情報が広告主に関するユーザ情報である場合に、前記広告主に応じた広告情報を取得し、
前記入場口又は前記退場口に設置された表示装置への前記広告情報の表示を指示する、
情報処理方法である。
【０００９】
本発明の他の態様の一つは、
有料道路又は有料施設の入場口又は退場口に設置された路側装置が、
無線通信部を通じて、前記入場口又は前記退場口を通過する車両に搭載された車載装置から前記車両を所有するユーザに関するユーザ情報を受信し、
前記ユーザ情報をサーバに送信し、
前記サーバが、
前記ユーザ情報を受信し、
前記ユーザ情報が広告主に関するユーザ情報である場合に、前記広告主に応じた広告情報を取得し、
前記入場口又は前記退場口に設置された表示装置への前記広告情報の表示指示を送信する、
情報処理方法である。
【発明の効果】
【００１０】
本発明によれば、有料道路又は有料施設の入場口又は退場口を通過する車両の乗員に対する広告効果を向上させることができる。
【図面の簡単な説明】
【００１１】
【図１】図１は、第１実施形態に係る広告掲示システムのシステム構成の一例を示す図である。
【図２】図２は、広告掲示システムにおける、センタサーバ、路側装置、車載装置のハードウェア構成の一例を示す図である。
【図３】図３は、広告掲示システムにおける、センタサーバ、路側装置、車載装置の機能構成の一例を示す図である。
【図４】図４は、路側装置の処理のフローチャートの一例である。
【図５】図５は、センタサーバの処理のフローチャートの一例である。
【図６】図６は、広告掲示システムにおける処理のシーケンスの一例を示す図である。
【発明を実施するための形態】
【００１２】
本発明の態様の一つは、有料道路又は有料施設の入場口又は退場口を通過する車両を所有するユーザに関するユーザ情報を取得することと、ユーザ情報が広告主に関するユーザ情報である場合に、当該広告主に対応する広告情報を取得することと、広告情報の入場口又は退場口に設置された表示装置への表示を指示することと、を実行する制御部、を備える情報処理装置である。
【００１３】
有料道路は、例えば、高速道路、橋、トンネル、観光道路等である。有料施設は、例えば、車両が進入可能な、有料駐車場、ドライブスルーの店舗等である。有料道路又は有料施設への入場口又は退場口は、例えば、ゲートが設置されていてもよいし設置されていなくてもよい。ユーザ情報の取得は、例えば、車両に搭載される車載装置から送信されたものを受信することによって行われてもよいし、他の装置が当該車載装置から受信したものを当該他の装置から受信することによって行われてもよい。広告情報の取得は、例えば、記憶装置に予め記憶されているものを読み出すことで行われてもよいし、他の装置が取得したものを当該他の装置から受信することによって行われてもよい。表示装置への表示の指示は、例えば、当該表示装置へ直接行われてもよいし、当該表示装置への表示を制御する装置を介して間接的に行われてもよい。
【００１４】
本発明の態様の一つによれば、広告主が所有する車両が有料道路又は有料施設の入場口又は退場口を通過すると、当該広告主に対応する広告情報が当該入場口又は退場口に設置されている表示装置に表示される。これによって、当該広告主が所有する車両が通過した後に当該入場口又は退場口を通過する後続車両の乗員に対して、広告情報を掲示することができ、広告効果を向上させることができる。
【００１５】
また、広告情報を表示させる表示装置として、例えば、高速道路のゲート付近に設置されている表示装置のような、入場口又は退場口に設置されている通過車両の乗員への情報提示ための既存の表示装置を利用する場合には、既存の設備を有効活用することができる。
【００１６】
また、本発明の態様の一つでは、情報処理装置は、入場口又は退場口に設置された路側装置であってもよい。この場合には、路側装置は、入場口又は退場口を通過する車両に搭載された車載装置と所定の無線通信を行う無線通信部をさらに備えてもよい。また、制御部は、無線通信部を通じて、車載装置から、ユーザ情報とともに、有料道路又は有料施設への入場に関する情報である入口情報と、料金の支払いに関する支払情報を受信することを実行してもよい。また、制御部は、入口情報に基づいて、有料道路又は有料施設の使用料金の情報を取得することと、支払情報に基づいて、決済を行う第１のサーバへ有料道路又は有料施設の使用料金の情報を送信することとを実行してもよい。また、制御部は、ユーザ情報に基づいて取得され、第２のサーバによって決済される、広告情報の表示装置への表示に係る広告料金の情報を取得することを実行してもよい。また制御部は、有料道路又は有料施設の使用料金の情報と、広告情報の広告料金の情報を車載装置へ送信することと、を実行するようにしてもよい。第１のサーバと第２のサーバは、例えば、料金の支払いに用いられるクレジットカードの会社のサーバである。第１のサーバと第２のサーバは、同じサーバであっても異なるサーバであってもよいし、その管理者が同じであっても異なっていてもよい。
【００１７】
また、本発明の態様の一つでは、情報処理装置は、入場口又は退場口に設置された路側装置と通信可能なサーバであってもよい。制御部は、路側装置を通じて、入場口又は退場口を通過する車両に搭載された車載装置からユーザ情報を受信することと、取得した広告情報の表示装置への表示に係る広告料金の情報を取得することと、広告情報の広告料金の情報を路側装置を通じて車載装置へ送信することと、広告情報の広告料金の情報を、決済を行う所定のサーバへ送信することと、をさらに実行するようにしてもよい。
【００１８】
路側装置と車載装置との無線通信は、例えば、ＤＳＲＣ、ＢＬＵＥＴＯＯＴＨ（登録商標）、ＷｉＦｉ  Ｄｉｒｅｃｔ等の、いわゆる、近距離無線通信方式に従って行われる。ただし、これらに限定されない。入口情報は、例えば、入場口の識別情報、入場時刻等の、有料道路又は有料施設の使用料金を算出するためのパラメータとなり得る情報を含む。
【００１９】
本発明の態様の一つによれば、広告主は、入場口又は退場口を通過することで、有料道路又は有料施設の使用料金とともに、入場口又は退場口に設置されている表示装置への広告情報の表示に係る広告料金の支払いを行うことができる。これによって、広告主の広告料金の支払いに係る手間を軽減することができる。
【００２０】
以下、図面に基づいて、本発明の実施の形態を説明する。以下の実施形態の構成は例示であり、本発明は実施形態の構成に限定されない。
【００２１】
＜第１実施形態＞
図１は、第１実施形態に係る広告掲示システム１００のシステム構成の一例を示す図である。広告掲示システム１００は、例えば、有料道路又は有料施設の入場口又は退場口を、広告主が所有する車両が通過した場合に、当該入場口又は退場口付近に設置されている表示装置に当該広告主の広告情報を掲示させるシステムである。第１実施形態では、高速道路の出側ゲートを広告主が所有する車両が通過する場合に、出側ゲート付近に設置されている路側表示装置に、当該広告主の広告情報が掲示される場合を例に説明される。高速道路の出側ゲートは、「退場口」の一例である。
【００２２】
広告掲示システム１００は、例えば、センタサーバ１、高速道路の出側ゲート付近に設置されている路側装置２、当該出側ゲート付近に設置されている路側表示装置３を含む。図１では、説明のため、出側ゲートを通過する車両に搭載されている車載装置４も示されている。また、図１では、説明の簡略化のため、１台の路側装置２、１台の路側表示装置３が抽出されて示されている。路側装置２、路側表示装置３は、それぞれ、例えば、高速道路の１つの出側ゲートに対応付けて設置されている。路側表示装置３は、「前記入場口又は前記退場口に設置された表示装置」の一例である。
【００２３】
なお、図１では、路側装置２及び路側表示装置３は、出側ゲートの上部に設置されているが、これらの設置場所は図１に示される位置に限定されない。例えば、路側表示装置３は、出側ゲートから所定距離（３〜１０ｍ程度）離れた位置に設置されていてもよい。
【００２４】
路側装置２、路側表示装置３、及び車載装置４は、例えば、高速道路のＥＴＣ（Electronic Toll Collection System）システムにも含まれる装置である。路側表示装置３は、
例えば、ゲートが、ＥＴＣ車載装置の搭載車両用であることを標示する表示装置である。車載装置４は、例えば、ＥＴＣ車載器である。路側装置２と車載装置４とは、例えば、ＤＳＲＣ(Dedicated Short Range Communications)等の近距離無線通信方式による無線通信を行う。路側装置２は、所定の周期で、当該路側装置２が対応付けられている（設置されている）ゲートの識別情報を含む信号を発信している。
【００２５】
路側装置２とセンタサーバ１とは、それぞれ、例えば、インターネット等のネットワークに接続しており、当該ネットワークを介して、通信可能である。また、路側装置２は、例えば、路側装置２が対応付けられている出側ゲートに設置されている路側表示装置３と接続されており、路側表示装置３への表示を制御することができる。
【００２６】
ＥＴＣシステムでは、例えば、以下の様な処理が行われている。車載装置４は、例えば、車両が高速道路の入側ゲートを通過する際に、当該入側ゲート付近に設置されている路側装置から発信される信号を受信し、当該信号の受信に基づいて、高速道路への入場を記録する。具体的には、車載装置４は、路側装置から発信される信号に含まれる入側ゲートの識別情報と、入側ゲートの通過時刻として当該信号の受信時刻と、を含む入口情報を作成し、保存する。
【００２７】
車載装置４は、車両が高速道路の出側ゲートを通過する際に、当該出側ゲート付近に設
置されている路側装置２から発信される信号を受信することで、当該出側ゲートの通過と路側装置２とを検出する。車載装置４は、路側装置２へ、例えば、入口情報、ＥＴＣカード番号、車両情報を送信する。車両情報には、例えば、車種の情報が含まれている。路側装置２は、車載装置４からこれらの情報を受信すると、入口情報及び車両情報に基づいて、通行料金を取得し、所定の決済サーバと車載装置４とへ通行料金の情報を送信する。これによって、ＥＴＣシステムでは、高速道路の通行料金を徴収している。決済サーバは、例えば、ＥＴＣの料金支払に用いられるクレジットカードの会社のサーバである。高速道路の通行料金は、「有料道路」の「使用料金」の一例である。
【００２８】
第１実施形態では、車載装置４は、出側ゲート付近に設置されている路側装置２を検出すると、路側装置２へ、入口情報、ＥＴＣカード番号、車両情報に加えて車両の所有者のユーザ識別情報も送信する。路側装置２は、受信したユーザ識別情報が、広告掲示システム１００の広告主として登録されているユーザのユーザ識別情報である場合に、センタサーバ１へ当該車両情報を送信する。ユーザ識別情報は、「ユーザ情報」の一例である。なお、「ユーザ情報」は、ユーザ識別情報の他にも、ユーザに関する情報であれば、情報を含んでもよい。
【００２９】
センタサーバ１は、例えば、広告掲示システム１００の広告主ごとの広告情報を格納するデータベースを保持している。センタサーバ１は、路側装置２からユーザ識別情報を受信すると、当該ユーザ識別情報に対応する広告情報をデータベースから取得する。また、センタサーバ１は、当該広告情報の掲示に係る広告料金の情報を取得する。センタサーバ１は、路側装置２へ、広告情報と広告料金の情報とを送信する。
【００３０】
路側装置２は、センタサーバ１から、広告情報と広告料金の情報とを受信すると、広告情報を路側表示装置３へ出力し、路側表示装置３に広告情報を表示させる。また、路側装置２は、車載装置４へ、高速道路の通行料金とともに広告料金の情報を送信する。
【００３１】
すなわち、第１実施形態では、広告主の車両が高速道路の出側ゲートを通過すると、当該広告主の広告が当該出側ゲート付近に設置されている表示装置に表示され、広告主の車両の後続の車両に対して、広告情報を掲示することができる。また、ＥＴＣシステムを利用しているので、高速道路の通行料金とともに広告料金も徴収することができる。
【００３２】
図２は、広告掲示システム１００における、センタサーバ１、路側装置２、車載装置４のハードウェア構成の一例を示す図である。センタサーバ１は、例えば、専用のコンピュータ、汎用のコンピュータである。センタサーバ１は、ハードウェア構成として、ＣＰＵ（Central Processing Unit）１０１、メモリ１０２、外部記憶装置１０３、通信部１０
４を有する。メモリ１０２および外部記憶装置１０３は、コンピュータで読み取り可能な記録媒体である。センタサーバ１は、「情報処理装置」の一例である。
【００３３】
外部記憶装置１０３は、様々なプログラムや、各プログラムの実行に際してＣＰＵ  １０１が使用するデータを格納する。外部記憶装置１０３は、例えば、ＥＰＲＯＭ（Erasable Programmable ROM）やハードディスクドライブ（Hard Disc Drive）である。外部記憶装置１０３に保持されるプログラムには、例えば、オペレーティングシステム（ＯＳ）、広告掲示システム１００の制御プログラム、その他様々なアプリケーションプログラムを保持する。広告掲示システム１００の制御プログラムは、広告主の車両が高速道路の出側ゲートを通過した場合に、当該出側ゲート付近に設置されている路側表示装置３に当該広告主の広告を表示させるためのプログラムである。
【００３４】
メモリ１０２は、ＣＰＵ  １０１に、外部記憶装置１０３に格納されているプログラムをロードする記憶領域および作業領域を提供したり、バッファとして用いられたりする記
憶装置である。メモリ１０２は、例えば、ＲＯＭ（Read Only Memory）、ＲＡＭ（Random
Access Memory）のような半導体メモリを含む。
【００３５】
ＣＰＵ  １０１は、外部記憶装置１０３に保持されたＯＳや様々なアプリケーションプログラムをメモリ１０２にロードして実行することによって、様々な処理を実行する。ＣＰＵ  １０１は、１つに限られず、複数備えられてもよい。ＣＰＵ  １０１は、「制御部」の一例である。
【００３６】
通信部１０４は、ネットワークとの情報の入出力を行うインタフェースである。通信部１０４は、有線のネットワークと接続するインタフェースであってもよいし、無線のネットワークと接続するインタフェースであってもよい。通信部１０４は、例えば、ＮＩＣ（Network Interface Card）や無線回路等である。
【００３７】
次に、路側装置２は、ハードウェア構成要素として、例えば、ＣＰＵ  ２０１、メモリ２０２、外部記憶装置２０３、第１通信部２０４、第２通信部２０５、インタフェース２０６を備える。ＣＰＵ  ２０１、メモリ２０２、外部記憶装置２０３は、ＣＰＵ  １０１、メモリ１０２、外部記憶装置１０３と同様である。路側装置２の外部記憶装置２０３には、路側装置２用の広告掲示システム１００の制御プログラムが格納されている。路側装置２の外部記憶装置２０３に格納されている路側装置２用の広告掲示システム１００の制御プログラムは、路側装置２に対応付けられている出側ゲートを広告主の車両が通過したことを検出し、センタサーバ１から当該広告主の広告情報を取得し、路側表示装置３に表示させるためのプログラムである。路側装置２は、「情報処理装置」の一例である。
【００３８】
第１通信部２０４は、ネットワークとの情報の入出力を行うインタフェースであり、当該ネットワークを通じて、センタサーバ１と通信可能となる。第１通信部２０４は、有線のネットワークと接続するインタフェースであってもよいし、無線のネットワークと接続するインタフェースであってもよい。第１通信部２０４は、例えば、ＮＩＣ（Network Interface Card）や無線回路等である。第１通信部２０４は、「路側装置」の「通信部」の一例である。
【００３９】
第２通信部２０５は、所定の近距離無線通信方式に従った通信を行う。例えば、第２通信部２０５は、ＤＳＲＣに従った通信を行う。第２通信部２０５は、例えば、所定の周期で、出側ゲートの識別情報を含む信号を発信する。当該信号を受信した受信装置から接続要求等を受信すると、第２通信部２０５は、当該受信装置とセッションを確立して通信を行う。第２通信部２０５が発信する信号を受信する受信装置は、第１実施形態では、車載装置４である。インタフェース２０６は、路側表示装置３と路側装置２とを接続するケーブルを接続するインタフェースである。第２通信部２０５は、「路側装置」の「無線通信部」の一例である。
【００４０】
次に、車載装置４は、ハードウェア構成要素として、例えば、ＣＰＵ  ４０１、メモリ４０２、外部記憶装置４０３、通信部４０４、ＥＴＣカード読取装置４０５を備える。ＣＰＵ  ４０１、メモリ４０２、外部記憶装置４０３は、ＣＰＵ  １０１、メモリ１０２、外部記憶装置１０３と同様である。ただし、車載装置４の外部記憶装置４０３には、例えば、広告掲示システム１００の車載装置用の制御プログラムが格納されている。広告掲示システム１００の車載装置用の制御プログラムは、例えば、出側ゲートの通過時に、路側表示装置３に広告情報を表示してもらうためのプログラムである。ただし、これに限定されず、広告掲示システム１００の実施の形態に応じて、広告掲示システム１００の車載装置用の制御プログラムの代わりにＥＴＣシステムの車載装置用の制御プログラムが記憶されていてもよい。例えば、ユーザ識別情報が広告掲示システム１００特有のものでなく、ＥＴＣシステムで用いられているいずれかの情報が用いられる場合である。
【００４１】
通信部４０４は、路側装置２と同じ所定の近距離無線通信方式に従って通信を行う。例えば、通信部４０４は、ＤＳＲＣに従った通信を行う。通信部４０４は、所定の周期で信号の受信処理を行い、例えば、路側装置２から発信された信号を受信すると、当該信号の受信をＣＰＵ  ４０１に通知する。以降、例えば、ＣＰＵ  ４０１からの指示に従って、路側装置２とのセッションを確立し、所定の近距離無線通信方式に従って、路側装置２とデータの送受信を行う。
【００４２】
ＥＴＣカード読取装置４０５は、ＥＴＣカードの挿し込み口を備え、当該挿し込み口に差し込まれたＥＴＣカードに記録された情報を、例えば、ＣＰＵ  ４０１の指示に従って読み取り、ＣＰＵ  ４０１に出力する。ＥＴＣカードには、例えば、ＩＣチップが備えられている。当該ＩＣチップには、例えば、ＥＴＣカード番号、ＥＴＣカードに対応付けられている車両の車両情報等が記録されている。ＥＴＣカードのＩＣチップに、広告掲示システム１００の広告主となるユーザのユーザ識別情報が記録されていてもよい。ただし、これに限定されず、広告掲示システム１００の広告主のユーザ識別情報は、例えば、外部記憶装置４０３に記憶されていてもよい。ＥＴＣカード番号は、ＥＴＣカードに割り当てられている固有の番号で、ＥＴＣカードの発行会社、クレジットカード会社等の識別番号とユーザの識別番号とから構成されている。ＥＴＣカード番号は、「支払情報」の一例である。
【００４３】
車両情報には、例えば、車種（普通車、大型車等）、車両識別番号、等が含まれている。ユーザ識別情報は、例えば、ＥＴＣシステムと共用のユーザ識別情報、ユーザの氏名又は会社名、広告掲示システム１００においてユニークに割り当てられた識別情報、等のいずれであってもよい。また、ユーザ識別情報にＥＴＣカード番号が用いられてもよく、この場合には、ユーザ識別情報として別途ＥＴＣカード番号が送信されなくともよい。なお、広告主となるユーザは、個人であっても企業等の組織であってもよい。
【００４４】
なお、図２に示されるセンタサーバ１、路側装置２、車載装置４のハードウェア構成は、一例であり、上記に限られず、実施の形態に応じて適宜構成要素の省略や置換、追加が可能である。例えば、センタサーバ１は、可搬記録媒体駆動装置を備え、可搬記録媒体に記録されたプログラムを実行してもよい。可搬記録媒体は、例えば、ＳＤカード、ｍｉｎｉＳＤカード、ｍｉｃｒｏＳＤカード、ＵＳＢ（Universal Serial Bus）フラッシュメモリ、ＣＤ（Compact Disc）、ＤＶＤ(Digital Versatile Disc)、Ｂｌｕ−ｒａｙ（登録商標）  Ｄｉｓｃ、又はフラッシュメモリカードのような記録媒体である。また、例えば、センタサーバ１は、入力装置及び出力装置を備えてもよい。入力装置は、例えば、キーボード、マウス、タッチパネル等である。出力装置は、例えば、ディスプレイ等である。
【００４５】
なお、センタサーバ１、路側装置２、車載装置４で実行される一連の処理は、プロセッサによるソフトウェアの実行によって達成させることに限定されず、例えば、ＦＰＧＡ（Field-Programmable Gate Array）等のハードウェアによって達成させることもできる。
【００４６】
図３は、広告掲示システム１００における、センタサーバ１、路側装置２、車載装置４の機能構成の一例を示す図である。車載装置４は、機能構成要素として、制御部４１、送受信部４２、カード情報取得部４３、入口情報保持部４４、履歴情報データベース（ＤＢ）４５を備える。これらの機能構成要素は、例えば、車載装置４のＣＰＵ  ４０１が外部記憶装置４０３に格納されている広告掲示システム１００の車載装置４用の制御プログラム又はＥＴＣシステムの車載装置用の制御プログラムを実行することによって達成される。
【００４７】
送受信部４２は、通信部４０４を通じて行われる路側装置２との通信のインタフェース
である。送受信部４２は、通信部４０４を通じて路側装置２から発信された信号を受信すると、路側装置２とのセッションの確立を制御する。送受信部４２は、例えば、通信部４０４を通じて路側装置２から受信されたデータを制御部４１に出力する。また、送受信部４２は、例えば、制御部４１から入力されたデータを、通信部４０４を通じて路側装置２へ送信する。
【００４８】
カード情報取得部４３は、例えば、制御部４１からの指示に従って、ＥＴＣカード読取装置４０５からＥＴＣカードに記録された情報を取得し、制御部４１へ出力する。入口情報保持部４４は、例えば、メモリ４０２の記憶領域に作成され、入口情報を保持する。なお、入口情報保持部４４への入口情報の記録及び削除は、例えば、制御部４１によって行われる。
【００４９】
制御部４１は、送受信部４２から、路側装置２から受信された信号に含まれるゲート識別情報の入力を受ける。例えば、ゲート識別情報から、路側装置２が対応付けられているゲートが入側ゲートであるか又は出側ゲートであるかが判定可能である。制御部４１は、ゲート識別情報から、当該ゲート識別情報の送信元の路側装置２が対応付けられているゲートが入側ゲートであることを検出した場合には、入側ゲートの通過時刻を取得し、例えば、入側ゲートのゲート識別情報と通過時刻とを含む入口情報を入口情報保持部４４に格納する。
【００５０】
制御部４１は、ゲート識別情報から、当該ゲート識別情報の送信元の路側装置２と対応付けられているゲートが出側ゲートであることを検出した場合には、送受信部４２に路側装置２とのセッションの確立を指示する。また、制御部４１は、出口情報として、当該出側ゲートのゲート識別情報とゲート通過時刻として信号の受信時刻とを入口情報保持部４４に保持する。次に、制御部４１は、カード情報取得部４３にＥＴＣカードからの情報の読み取りを指示し、カード情報取得部４３からＥＴＣカード番号、車両情報、等を取得する。ＥＴＣカードにユーザ識別情報が記録されている場合には、ＥＴＣカードからユーザ識別情報も取得される。次に、制御部４１は、入口情報保持部４４から入口情報を取得し、入口情報、ＥＴＣカード番号、車両情報、ユーザ識別情報を送受信部４２へ出力し、送受信部４２を通じて路側装置２へ送信する。
【００５１】
また、制御部４１は、送受信部４２から、路側装置２から受信された高速道路の通行料金の情報、及び／又は、路側表示装置３への広告情報の表示に係る広告料金の情報の入力を受ける。以下、高速道路の通行料金の情報、及び／又は、路側表示装置３への広告情報の表示に係る広告料金の情報を、単に、料金情報と称する。制御部４１は、入口情報保持部４４から入口情報と出口情報とを取得し、料金情報とともに履歴情報ＤＢ  ４５に格納する。また、制御部４１は、入口情報保持部４４に保持されている入口情報と出口情報とを削除し、リフレッシュする。
【００５２】
履歴情報ＤＢ  ４５には、高速道路の利用履歴の情報が格納されている。高速道路の利用履歴の情報には、例えば、入口情報、出口情報、料金情報が対応付けて格納されている。
【００５３】
次に、路側装置２は、機能構成要素として、端末通信部２１、サーバ通信部２２、料金算出部２３、表示制御部２４、制御部２５、料金表ＤＢ  ２６、ユーザ情報ＤＢ  ２７を備える。これらの機能構成要素は、路側装置２のＣＰＵ  ２０１が外部記憶装置２０３に格納されている広告掲示システム１００の路側装置２用の制御プログラムを実行することによって達成される機能構成要素である。
【００５４】
端末通信部２１は、第２通信部２０５を通じて行われる車載装置４との通信を制御する
。例えば、端末通信部２１は、第２通信部２０５に、所定の周期で、路側装置２に対応付けられているゲートのゲート識別情報を含む信号の発信を指示する。また、端末通信部２１は、当該信号を受信した車載装置４からの接続要求等の要求を受信し、車載装置４とのセッションの確立を制御する。端末通信部２１は、車載装置４から入口情報、ＥＴＣカード識別番号、車両情報、ユーザ識別情報等を受信すると、それらを制御部２５に出力する。また、端末通信部２１は、例えば、制御部２５から料金情報が入力されると、第２通信部２０５を通じて、車載装置４へ送信する。
【００５５】
サーバ通信部２２は、第１通信部２０４を通じて行われるセンタサーバ１及びその他のサーバとの通信を制御する。例えば、サーバ通信部２２は、制御部２５から、車載装置４から受信されたユーザ識別情報の入力を受けると、当該ユーザ識別情報をセンタサーバ１へ送信する。例えば、サーバ通信部２２は、センタサーバ１から、車載装置４から受信されたユーザ識別情報に対応する広告情報と広告料金の情報とが受信されると、これらを制御部２５に出力する。
【００５６】
料金算出部２３は、例えば、制御部２５の指示に従って、高速道路の通行料金を算出する。高速道路の通行料金は、例えば、料金表ＤＢ  ２６に格納される料金表と車載装置４から受信された入口情報及び車両情報とに基づいて算出される。
【００５７】
表示制御部２４は、路側表示装置３の表示に係る制御を行う。例えば、表示制御部２４は、制御部２５から広告情報の入力を受け、路側表示装置３に当該広告情報を表示させる。
【００５８】
制御部２５は、路側装置２における広告掲示システム１００に係る制御を行う。具体的には、以下の通りである。制御部２５は、端末通信部２１から、車載装置４から受信されたユーザ識別情報の入力を受けると、当該ユーザ識別情報に基づいて、ユーザが広告掲示システム１００の広告主であるか否かを判定する。ユーザが広告主である場合には、制御部２５は、当該ユーザ識別情報をサーバ通信部２２へ出力し、サーバ通信部２２を通じて、センタサーバ１へ送信する。
【００５９】
また、制御部２５は、端末通信部２１から、車載装置４から受信されたユーザ識別情報、入口情報、車両情報の入力を受けると、料金算出部２３へ高速道路の通行料金の情報の取得を指示する。料金算出部２３から高速道路の通行料金の情報の入力を受けると、制御部２５は、端末通信部２１へ出力し、端末通信部２１を通じて高速道路の通行料金の情報を車載装置４へ送信する。これとともに、制御部２５は、高速道路の通行料金の情報をサーバ通信部２２へ出力し、サーバ通信部２２を通じて決済サーバへ送信し、高速道路の通行料金の決済処理を行う。決済サーバは、例えば、高速道路の通行料金の支払いに登録されているＥＴＣカードのＥＴＣカード番号から特定されるクレジットカード会社のサーバである。高速道路の通行料金の決済を行う決済サーバは、「第１のサーバ」の一例である。
【００６０】
また、制御部２５は、サーバ通信部２２から、センタサーバ１から受信された広告情報の入力を受け、当該広告情報を表示制御部２４へ出力する。また、制御部２５は、サーバ通信部２２から、センタサーバ１から受信された広告料金の情報の入力を受け、当該広告料金の情報を端末通信部２１へ出力し、端末通信部２１を通じて、車載装置４へ送信する。センタサーバ１から広告料金の情報を受信することは、「前記広告情報の前記表示装置への表示に係る広告料金の情報を取得」することの一例である。
【００６１】
料金表ＤＢ  ２６、ユーザ情報ＤＢ  ２７は、例えば、路側装置２の外部記憶装置２０３の記憶領域に作成される。料金表ＤＢ  ２６は、例えば、高速道路の通行料金の料金表
を保持する。
【００６２】
高速道路の通行料金は、例えば、車両が通過した入側ゲートと出側ゲートとの間の距離と車種とに応じて決定されている。そのため、料金表ＤＢ  ２６に保持される高速道路の通行料金の料金表は、例えば、入側ゲートの識別情報と車種と料金との対応付けを保持している。ただし、料金表ＤＢ  ２６に保持される高速道路の通行料金の料金表は、これに限定されない。
【００６３】
ユーザ情報ＤＢ  ２７には、例えば、広告掲示システム１００の広告主に関する情報が格納されている。例えば、ユーザ情報ＤＢ  ２７に格納される広告主に関する情報として、広告主のユーザ識別情報がある。ただし、ユーザ情報ＤＢ  ２７に格納される広告主に関する情報は、ユーザ識別情報に限定されない。
【００６４】
次に、センタサーバ１は、機能構成要素として、送受信部１１、制御部１２、広告情報ＤＢ  １３、広告主情報ＤＢ  １４を備える。これらの機能構成要素は、例えば、センタサーバ１のＣＰＵ  １０１が外部記憶装置１０３に格納されている広告掲示システム１００のセンタサーバ１用の制御プログラムを実行することによって達成される。
【００６５】
送受信部１１は、通信部１０４を通じて行われる路側装置２及びその他のサーバとの通信を制御する。例えば、送受信部１１は、路側装置２からユーザ識別情報を受信すると、制御部１２へ出力する。また、例えば、送受信部１１は、制御部１２から、路側装置２から受信されたユーザ識別情報に対応する広告情報と広告料金の情報との入力を受けると、路側装置２へ送信する。また、このとき、送受信部１１は、広告料金の情報を所定のサーバへ送信する。所定のサーバは、例えば、広告料金の支払いに登録されているクレジットカードの会社のサーバ等である。
【００６６】
制御部１２は、送受信部１１から、路側装置２から受信されたユーザ識別情報の入力を受ける。制御部１２は、後述の広告主情報ＤＢ  １４に基づいて、入力されたユーザ識別情報が広告掲示システム１００の広告主のユーザ識別情報であるか否かを判定する。入力されたユーザ識別情報が広告掲示システム１００の広告主のユーザ識別情報である場合には、制御部１２は、当該広告主の広告情報を後述の広告情報ＤＢ  １３から取得する。
【００６７】
また、制御部１２は、現時点での広告料金の情報を取得する。路側表示装置３への広告情報の表示に係る広告料金は、例えば、表示時間、表示される時間帯、交通量、表示回数等の少なくともいずれか一つに基づいて、予め料金表等によって決定されていてもよい。例えば、表示される時間が長いほど広告料金は高くなるように設定されてもよい。例えば、交通量の多い時間帯に表示されるほど広告料金は高くなるように設定されてもよい。例えば、表示回数が多いほど、広告料金は高くなるように設定されてもよい。また、例えば、表示１回当たり、表示時間合計１時間当たり等所定の単位ごとに広告料金が設定されてもよい。なお、広告料金の決定方法はこれらに限定されない。
【００６８】
制御部１２は、広告情報と広告料金の情報とを送受信部１１へ出力し、送受信部１１を通じて、路側装置２へ送信する。また、制御部１２は、例えば、広告情報の表示の都度、又は、月に１回等の所定のタイミングで、広告料金の決済処理を行う。広告料金の決済処理では、制御部１２は、例えば、広告主ごとに、広告料金の情報を、広告料金の決済を行う決済サーバへ送信する。広告料金の決済を行う決済サーバは、例えば、後述の広告主情報ＤＢ  １４に登録されているクレジットカードの会社のサーバである。例えば、広告料金の決済処理のタイミングが、月に１回等の所定周期である場合には、１周期分の広告料金の合計額が送信される。
【００６９】
広告情報ＤＢ  １３及び広告主情報ＤＢ  １４は、例えば、センタサーバ１の外部記憶装置１０３の記録領域内に作成される。広告情報ＤＢ  １３には、広告掲示システム１００の広告主の広告情報が格納されている。広告情報は、例えば、静止画像、動画等のファイルである。なお、音声付であってもよい。広告情報ＤＢ  １３には、例えば、広告主識別情報と広告情報とが対応付けて格納されている。
【００７０】
広告主情報ＤＢ  １４には、例えば、広告掲示システム１００の広告主であるユーザに関する情報が格納されている。例えば、広告主情報ＤＢ  １４には、ユーザ識別情報、広告主識別情報、支払先情報、車両情報等が対応付けて格納されている。支払先情報は、例えば、広告料金の支払いに用いられるクレジットカード番号等である。
【００７１】
図３に示されるセンタサーバ１、路側装置２、車載装置４の機能構成は、一例であって、これらの機能構成は図３に示されるものに限定されない。
【００７２】
＜処理の流れ＞
図４は、路側装置２の処理のフローチャートの一例である。図４に示される処理は、例えば、所定の周期で繰り返し実行される。また、図４に示される処理の実行主体は、路側装置２のＣＰＵ  ２０１であるが、便宜上、機能構成要素を主体として説明する。
【００７３】
ＯＰ１０１では、制御部２５は、車載装置４から、入口情報、ＥＴＣカード番号、車両情報、ユーザ識別情報が受信されたか否かを判定する。入口情報、ＥＴＣカード番号、車両情報、ユーザ識別情報が受信された場合には（ＯＰ１０１：ＹＥＳ）、処理がＯＰ１０２に進む。入口情報、ＥＴＣカード番号、車両情報、ユーザ識別情報が受信されていない場合には（ＯＰ１０１：ＮＯ）、図４に示される処理が終了する。
【００７４】
ＯＰ１０２では、制御部２５は、料金算出部２３に高速道路の通行料金の算出を指示し、料金算出部２３から高速道路の通行料金の情報を取得する。ＯＰ１０３では、制御部２５は、高速道路の通行料金の情報を、端末通信部２１を通じて車載装置４へ送信するとともに、サーバ通信部２２を通じて高速道路の通行料金の決済サーバへも送信する。
【００７５】
ＯＰ１０４では、制御部２５は、ユーザ情報ＤＢ  ２７に基づいて、受信されたユーザ識別情報が広告主のユーザ識別情報であるか否かを判定する。受信されたユーザ識別情報が広告主のユーザ識別情報である場合には（ＯＰ１０４：ＹＥＳ）、処理がＯＰ１０５に進む。受信されたユーザ識別情報が広告主のユーザ識別情報でない場合には（ＯＰ１０４：ＮＯ）、図４に示される処理が終了する。なお、例えば、受信されたユーザ識別情報がユーザ情報ＤＢ  ２７に登録されている場合に、受信されたユーザ識別情報が広告主のユーザ識別情報であると判定される。
【００７６】
ＯＰ１０５では、制御部２５は、サーバ通信部２２へユーザ識別情報を出力し、サーバ通信部２２を通じて、センタサーバ１へ当該ユーザ識別情報を送信する。
【００７７】
ＯＰ１０６では、制御部２５は、センタサーバ１から、ＯＰ１０５で送信したユーザ識別情報に対応する広告情報が受信されたか否かを判定する。センタサーバ１から広告情報が受信された場合には（ＯＰ１０６：ＹＥＳ）、処理がＯＰ１０７へ進む。例えば、ＯＰ１０５においてユーザ識別情報が送信されてから所定時間経過してもセンタサーバ１から広告情報が受信されない場合には（ＯＰ１０６：ＮＯ）、図４に示される処理が終了する。なお、センタサーバ１からは広告情報とともに、広告料金の情報も受信される。
【００７８】
ＯＰ１０７では、制御部２５は、端末通信部２１を通じて、広告料金の情報を車載装置４へ送信する。ＯＰ１０８では、制御部２５は、センタサーバ１から受信された広告情報
を表示制御部２４へ出力し、表示制御部２４を通じて、路側表示装置３へ広告情報の表示指示を出力する。その後、路側表示装置３に広告情報が表示される。その後、図４に示される処理が終了する。
【００７９】
なお、図４に示される路側装置２の処理は一例であって、これに限定されない。例えば、高速道路の通行料金の送信（ＯＰ１０４）を、広告料金の情報の送信（ＯＰ１０７）とともに行ってもよい。また、広告料金の情報の送信と路側表示装置３への広告情報の表示との処理の順序が逆であってもよい。
【００８０】
図５は、センタサーバ１の処理のフローチャートの一例である。図５に示される処理は、例えば、所定の周期で繰り返し実行される。図５においても、実行主体はセンタサーバ１のＣＰＵ  １０１であるが、便宜上、機能構成要素を主体として説明する。
【００８１】
ＯＰ２０１では、制御部１２は、路側装置２からユーザ識別情報が受信されたか否かを判定する。ユーザ識別情報が受信された場合には（ＯＰ２０１：ＹＥＳ）、処理がＯＰ２０１に進む。ユーザ識別情報が受信されていない場合には（ＯＰ２０１：ＮＯ）、図５に示される処理が終了する。
【００８２】
ＯＰ２０２では、制御部１２は、広告主情報ＤＢ  １４に基づいて、受信されたユーザ識別情報が広告主のユーザ識別情報であるか否かを判定する。受信されたユーザ識別情報が広告主のユーザ識別情報である場合には（ＯＰ２０２：ＹＥＳ）、処理がＯＰ２０３に進む。受信されたユーザ識別情報が広告主のユーザ識別情報でない場合には（ＯＰ２０２：ＮＯ）、図５に示される処理が終了する。なお、例えば、受信されたユーザ識別情報が広告主情報ＤＢ  １４に登録されている場合に、受信されたユーザ識別情報が広告主のユーザ識別情報であると判定される。
【００８３】
ＯＰ２０３では、制御部１２は、ユーザ識別情報に対応する広告主識別情報を広告主情報ＤＢ  １３から取得し、広告情報ＤＢ  １３から当該広告主識別情報に対応付けられている広告情報を取得する。ＯＰ２０４では、制御部１２は、広告料金の情報を取得する。
【００８４】
ＯＰ２０５では、制御部１２は、ＯＰ２０３で取得した広告情報と、ＯＰ２０４で取得した広告料金の情報とを、送受信部１１へ出力し、送受信部１１を通じて、路側装置２へ送信する。その後、図５に示される処理が終了する。なお、図５に示されるセンタサーバ１の処理は一例であって、これに限定されない。
【００８５】
図６は、広告掲示システム１００における処理のシーケンスの一例を示す図である。図６では、車載装置４は、広告主の所有する車両に搭載されており、広告主のユーザ識別情報を記録するＥＴＣカードが挿入されている車載装置であるとする。
【００８６】
Ｓ１１では、路側装置２が所定の周期で出側ゲートの識別情報を含む信号を送出している。Ｓ２１では、車載装置４が路側装置２の付近にある出側ゲートに接近し、路側装置２から送出されている信号を受信する。Ｓ２２では、車載装置４は、路側装置２へ、入口情報、車両情報、ＥＴＣカード番号、ユーザ識別情報を送信する。ただし、図６では、入口情報とユーザ識別情報のみが抽出して表示されている。
【００８７】
Ｓ３１では、路側装置２は、車載装置４から情報を受信し（図４、ＯＰ１０１：ＹＥＳ）、入口情報及び車両情報に基づいて、高速道路の通行料金の情報を取得する（図４、ＯＰ１０２）。Ｓ３２では、路側装置２は、車載装置４へ、高速道路の通行料金の情報を送信する（図４、ＯＰ１０３）。なお、これとともに、路側装置２は、決済サーバへ通行料金の情報を送信する。
【００８８】
Ｓ３３では、路側装置２は、車載装置４から受信したユーザ識別情報が広告主のものであることを判定し（図４、ＯＰ１０４：ＹＥＳ）、センタサーバ１へ当該ユーザ識別情報を送信する（図４、ＯＰ１０５）。
【００８９】
Ｓ４１では、センタサーバ１は、路側装置２からユーザ識別情報を受信し（図５、ＯＰ２０１：ＹＥＳ）、ユーザ識別情報を有する広告主の広告情報と広告料金の情報とを取得する（図５、ＯＰ２０３、ＯＰ２０４）。Ｓ４２では、センタサーバ１は、広告情報と広告料金の情報とを路側装置２へ送信する（図５、ＯＰ２０５）。
【００９０】
Ｓ５１では、路側装置２は、センタサーバ１から広告情報と広告料金の情報とを受信し（図４、ＯＰ１０６：ＹＥＳ）、広告料金の情報を車載装置４へ送信する（図４、ＯＰ１０７）。Ｓ５２では、路側装置２は、センタサーバ１から受信した広告情報を路側表示装置３へ出力し、路側表示装置３に表示させる（図４、ＯＰ１０８）。
【００９１】
なお、路側表示装置３に表示された広告情報は、例えば、路側表示装置３への表示開始から所定時間が経過した場合、又は、別の広告主の車両が当該出側ゲートを通過した場合に、路側表示装置３への表示が終了されてもよい。また、例えば、路側表示装置３への表示開始から所定時間が経過すると広告情報の表示が終了されるケースにおいて、当該広告情報の表示中に他の広告主の車両が当該出側ゲートを通過した場合には、現在表示中の広告情報の表示が終了するのを待って、当該他の広告主の広告情報が表示されるようにしてもよい。
【００９２】
＜第１実施形態の作用効果＞
第１実施形態によれば、広告主の車両が高速道路の出側ゲートを通過すると、当該出側ゲート付近に設置されている路側表示装置３に当該広告主の広告情報が表示される。これによって、広告主の車両の後続の車両に対して広告を掲示することができ、広告効果を向上させることができる。また、第１実施形態によれば、高速道路の通行料金とともに広告料金を徴収することができ、広告主に広告料金の支払いに係る手間を軽減させることができる。
【００９３】
また、第１実施形態によれば、既存のＥＴＣシステム、ＥＴＣ車載装置を利用することができ、その場合には、広告掲示システム１００の導入コストを抑えることができる。また、既存のシステム（路側表示装置３、車載装置４等）等を有効活用することができる。また、ユーザ識別情報に既存のＥＴＣシステムで用いられている所定の識別情報（例えば、ＥＴＣカード番号等）が用いられる場合には、ＥＴＣ車載装置は、従来のＥＴＣシステムにおける動作と変わりない動作を行なえばよく、広告掲示システム１００の導入が容易になる。
【００９４】
また、広告掲示システム１００が既存のＥＴＣシステムを利用する場合には、例えば、路側装置２は、路側表示装置３に広告情報が表示されている間に当該出側ゲートを通過した車両の車両情報やユーザに関する情報を収集し、センタサーバ１は、各路側装置２から当該情報を収集するようにしてもよい。この場合には、１の広告情報が掲示されている間に、当該出側ゲートを通過した車両及び／又はユーザに関する情報を収集することができ、広告効果をより調査しやすくなる。
【００９５】
＜その他の実施形態＞
上記の実施形態はあくまでも一例であって、本発明はその要旨を逸脱しない範囲内で適宜変更して実施しうる。
【００９６】
第１実施形態では、路側装置２とセンタサーバ１との双方が、車載装置４から受信されたユーザ識別情報が広告主のものであるかの判定を行うが、当該判定は、路側装置２又はセンタサーバ１のいずれか一方で行うのであってもよい。
【００９７】
第１実施形態では、路側表示装置３は路側装置２と接続しており、路側表示装置３への表示の制御は路側装置２が行うが、これに限定されない。例えば、路側表示装置３は、ネットワーク経由でセンタサーバ１と接続し、センタサーバ１が路側表示装置３への表示の制御を行ってもよい。
【００９８】
例えば、車載装置４は、路側装置２から発信される信号を受信した場合に、入口情報、車両情報、ＥＴＣカード番号、ユーザ識別情報とともに、路側表示装置３に表示させたい広告情報を路側装置２へ送信してもよい。この場合には、路側装置２は、車載装置４から受信したユーザ識別情報が広告主のものであることが判定できると、車載装置４から受信した広告情報を路側表示装置３に表示させるようにしてもよい。
【００９９】
また、路側装置２は、センタサーバ１へ、車載装置４から受信したユーザ識別情報とともに、車載装置４から受信した車両情報及び入口情報、路側装置２が対応付けられている出側ゲートの識別情報等を送信し、センタサーバ１は、これらの情報を広告表示の履歴情報として格納してもよい。これによって、例えば、当該広告表示の履歴情報を広告主等に提供することができるようになる。
【０１００】
また、センタサーバ１は、１の広告主について複数の広告情報を広告情報ＤＢ  １３に保持してもよい。このとき、例えば、Ａ社の広告情報の路側表示装置３への表示中に、新たにＡ社の車両が当該出側ゲートを通過した場合には、センタサーバ１は、表示中の広告情報とは異なるＡ社の広告情報を取得し、路側装置２へ送信して、路側表示装置３に表示させるようにしてもよい。これによって、例えば、高速道路の所定の料金所の利用頻度が高い広告主の場合には、当該広告主の車両が当該料金所を通過する度に路側表示装置３に表示される広告情報が変化し、多様な広告情報を他の車両に対して掲示することができる。
【０１０１】
また、第１実施形態では、高速道路の出側ゲート付近に設置されている路側表示装置３に広告を表示させる例について説明されたが、第１実施形態で説明された技術は、例えば、高速道路の入側ゲート付近に設置されている路側表示装置に広告を表示させることについても適用できる。例えば、入側ゲートを車両が通過する際に、入側ゲート付近に設置されている路側装置へ車載装置４からユーザ識別情報を送信するようにし、当該路側装置に第１実施形態における路側装置２と同様にセンタサーバ１との処理を実行させることによって達成可能である。
【０１０２】
また、第１実施形態では、高速道路の料金所に設置されている出側ゲートを車両が通過する場合を例に説明されたが、第１実施形態で説明された技術の適用先は、高速道路の料金所に限定されない。例えば、有料駐車場の料金支払所における、表示装置が設置されている出側ゲートにも適用可能である。有料駐車場は「有料施設」の一例である。有料駐車場の出側ゲートは、「退出口」の一例である。有料駐車場の駐車料金は、「有料施設」の「使用料金」の一例である。
【０１０３】
また、ゲートが備えられていなくとも、車両の入退場を記録し車両と通信可能な路側装置と当該路側装置付近に表示装置とが設置されている所定の領域に対しても適用可能である。また、第１実施形態で説明された技術は、例えば、入場時に料金を支払うタイプの施設への車両の入場口に適用されてもよい。
【０１０４】
本開示において説明した処理や手段は、技術的な矛盾が生じない限りにおいて、自由に組み合わせて実施することができる。
【０１０５】
また、１つの装置が行うものとして説明した処理が、複数の装置によって分担して実行されてもよい。あるいは、異なる装置が行うものとして説明した処理が、１つの装置によって実行されても構わない。コンピュータシステムにおいて、各機能をどのようなハードウェア構成（サーバ構成）によって実現するかは柔軟に変更可能である。
【０１０６】
本発明は、上記の実施形態で説明した機能を実装したコンピュータプログラムをコンピュータに供給し、当該コンピュータが有する１つ以上のプロセッサがプログラムを読み出して実行することによっても実現可能である。このようなコンピュータプログラムは、コンピュータのシステムバスに接続可能な非一時的なコンピュータ可読記憶媒体によってコンピュータに提供されてもよいし、ネットワークを介してコンピュータに提供されてもよい。非一時的なコンピュータ可読記憶媒体は、例えば、磁気ディスク（フロッピー（登録商標）ディスク、ハードディスクドライブ（ＨＤＤ）等）、光ディスク（ＣＤ−ＲＯＭ、ＤＶＤディスク、ブルーレイディスク等）など任意のタイプのディスク、読み込み専用メモリ（ＲＯＭ）、ランダムアクセスメモリ（ＲＡＭ）、ＥＰＲＯＭ、ＥＥＰＲＯＭ、磁気カード、フラッシュメモリ、光学式カード、電子的命令を格納するために適した任意のタイプの媒体を含む。
【符号の説明】
【０１０７】
１      ：センタサーバ
２      ：路側装置
３      ：路側表示装置
４      ：車載装置
１１    ：送受信部
１２    ：制御部
２１    ：端末通信部
２２    ：サーバ通信部
２３    ：料金算出部
２４    ：表示制御部
２５    ：制御部
１００  ：広告掲示システム
１０２、２０２  ：メモリ
１０３、２０３  ：外部記憶装置
１０４  ：通信部
２０４  ：第１通信部
２０５  ：第２通信部
【図１】
2020057208.tif 000003
【図２】
2020057208.tif 000004
【図３】
2020057208.tif 000005
【図４】
2020057208.tif 000006
【図５】
2020057208.tif 000007
【図６】
2020057208.tif 000008